(57)【要約】【課題】広域無線エリア内に同一周波数帯域の狭域無線エリアを形成して移動局が基地局と無線通信を行う上で、干渉を防止しつつ移動局の電力消費を低減する。【解決手段】このＣＤＭＡ移動通信システムの広域無線基地局１１１は、自身の広域無線エリア１２１内で自局と接続している移動局１４１が使用している拡散符号および移動局１４１の時間同期情報を、通信回線１３１，１３２を通じて狭域無線基地局１１２、１１３へ送信する手段と、移動局１４１の受信品質を測定し、規定された受信品質を満足するように移動局１４１の送信電力を増減させるための第１の送信電力制御命令を生成し移動局１４１へ送信する第１の送信制御命令生成手段と、狭域無線基地局１１２よりハンドオフ手順開始要求を受信した場合に、移動局１４１へ送信する送信電力制御命令を、狭域無線基地局１１２から受信した第２の送信電力制御命令に変更する手段とを備える。【選択図】図１
2006074468.tif 000002
【特許請求の範囲】
【請求項１】
広域無線基地局装置がカバーする広域無線エリア内に、少なくとも一つの狭域無線基地局装置がカバーする狭域無線エリアを形成し、前記狭域無線基地局装置と前記広域無線基地局装置は有線回線または無線回線を介して接続され、移動局と基地局装置間における上り方向と下り方向の通信のうち少なくとも上り方向の通信には前記広域無線基地局装置と前記狭域無線基地局装置とでほぼ同じ周波数帯域を使用する無線通信システムにおいて、
前記広域無線基地局装置は、
自身の広域無線エリア内で自局と接続している少なくとも一つの移動局が使用しているそれぞれの拡散符号および前記移動局の時間同期情報を、前記有線回線または無線回線を通じて前記狭域無線基地局装置へ送信する手段と、
それぞれの移動局の受信品質を測定し、規定された受信品質を満足するようにそれぞれの移動局の送信電力を増減させるための第１の送信電力制御命令を生成し、生成した第１の送信電力制御命令を移動局へ送信する第１の送信制御命令生成手段と、
前記狭域無線基地局装置よりハンドオフ手順開始要求を受信した場合に、自局に接続している該当移動局へ送信する送信電力制御命令を、前記第１の送信電力制御命令から前記狭域無線基地局装置より受信された前記第２の送信電力制御命令に変更し、前記移動局の送信電力を制御する手段とを備え、
前記狭域無線基地局装置は、
前記広域無線基地局装置から前記有線回線または無線回線を通じて送信された前記拡散符号及び時間同期情報を受信する手段と、
受信した前記拡散符号及び時間同期情報を用いて、前記移動局からの信号の電力を測定する電力測定手段と、
前記移動局の受信品質を測定し、予め規定された受信品質を満足するように前記移動局からの送信電力を増減させるための第２の送信電力制御命令を生成する第２の送信制御命令生成手段と、
前記電力測定手段により求められた前記移動局からの信号の電力が予め設定された閾値を越えた場合、前記広域無線基地局装置に対して前記移動局のハンドオフ手順開始を要求すると共に、前記第２の送信制御命令生成手段により生成された該当移動局に対する前記第２の送信制御命令を前記広域無線基地局装置へ通知する通信切り替え手段と
を具備したことを特徴とする無線通信システム。
【請求項２】
請求項１記載の無線通信システムにおいて、
前記広域無線基地局装置は、
周期的または移動局と通信を開始するときに、拡散符号及び時間同期情報を、自局に前記有線回線または無線回線を介して接続された狭域無線基地局装置へ送信する手段を具備することを特徴とする無線通信システム。
【請求項３】
請求項１記載の無線通信システムにおいて、
前記狭域無線基地局装置は、
自局と接続している移動局の信号電力と自局エリア外からの干渉電力との比である信号電力対干渉電力比を測定する信号電力対干渉電力比測定手段と、
自局が有線回線または無線回線で接続されている広域無線基地局に、前記拡散符号と時間同期情報を要求し受信する手段を有し、
前記信号電力対干渉電力比測定手段により測定された信号電力対干渉電力比が予め設定された閾値よりも大きかった場合に、前記広域無線基地局装置に対して前記拡散符号と時間同期情報を要求し、その受信した前期拡散符号により移動局を特定し、その後前記広域無線基地局装置に対して該当移動局のハンドオフ手順開始を要求する手段を
を具備したことを特徴とする無線通信システム。
【請求項４】
自局がカバーする広域無線エリア内に、少なくとも一つの狭域無線基地局装置がカバーする狭域無線エリアを形成し、前記狭域無線基地局装置と有線回線または無線回線を介して接続され、移動局と基地局装置間における上り方向と下り方向の通信のうち少なくとも上り方向の通信には前記狭域無線基地局装置とほぼ同じ周波数帯域を使用する広域無線基地局装置において、
自身の広域無線エリア内で自局と接続している少なくとも一つの移動局が使用しているそれぞれの拡散符号および前記移動局の時間同期情報を、前記有線回線または無線回線を通じて前記狭域無線基地局装置へ送信する手段と、
それぞれの移動局の受信品質を測定し、規定された受信品質を満足するようにそれぞれの移動局の送信電力を増減させるための第１の送信電力制御命令を生成し、生成した第１の送信電力制御命令を移動局へ送信する第１の送信制御命令生成手段と、
前記狭域無線基地局装置よりハンドオフ手順開始要求を受信した場合に、自局に接続している該当移動局へ送信する送信電力制御命令を、前記第１の送信電力制御命令から前記狭域無線基地局装置より受信された前記第２の送信電力制御命令に変更し、前記移動局の送信電力を制御する手段と
を具備したことを特徴とする広域無線基地局装置。
【請求項５】
広域無線基地局装置がカバーする広域無線エリア内に狭域無線エリアを形成し、前記広域無線基地局装置と有線回線または無線回線を介して接続され、移動局と基地局装置間における上り方向と下り方向の通信のうち少なくとも上り方向の通信には前記広域無線基地局装置とほぼ同じ周波数帯域を使用する狭域無線基地局装置において、
前記広域無線基地局装置から前記有線回線または無線回線を通じて送信された前記拡散符号及び時間同期情報を受信する手段と、
受信した前記拡散符号及び時間同期情報を用いて、前記移動局からの信号の電力を測定する電力測定手段と、
前記移動局の受信品質を測定し、予め規定された受信品質を満足するように前記移動局からの送信電力を増減させるための第２の送信電力制御命令を生成する第２の送信制御命令生成手段と、
前記電力測定手段により求められた前記移動局からの信号の電力が予め設定された閾値を越えた場合、前記広域無線基地局装置に対して前記移動局のハンドオフ手順開始を要求すると共に、前記第２の送信制御命令生成手段により生成された該当移動局に対する前記第２の送信制御命令を前記広域無線基地局装置へ通知する通信切り替え手段と
を具備したことを特徴とする狭域無線基地局装置。
【発明の詳細な説明】
【技術分野】
【０００１】
本発明は、例えば符号分割多元接続（Code Division Multiple Access: 以下ＣＤＭＡという）移動通信システム等の無線通信システム、広域無線基地局装置、狭域無線基地局装置に関する。
【背景技術】
【０００２】
近年、スペクトル拡散方式を応用したＣＤＭＡ通信方式が注目されている。このＣＤＭＡ通信方式では、全移動局が同一の周波数帯域を使用することから、干渉の恐れがあり、送信電力を制御することが必要である。
【０００３】
送信電力の制御を行う技術として、通信品質の時間的な変動や基地局間での通信品質の不均一性を考慮して通信品質を基準化した送信電力制御（ＳＩＲベースパワーコントロール）技術が提案されている。
【０００４】
このＳＩＲベースパワーコントロール技術では、受信信号の通信品質が常に基準値となるように送信電力の制御が行われる。すなわち、移動局から基地局への上り回線においては、基地局で受信される信号の通信品質が基準値になるように移動局の送信電力が制御され、その逆の基地局から移動局への下り回線においては、移動局で受信される信号の通信品質が基準値となるように基地局での各移動局向け送信電力が制御される。
【０００５】
複数の基地局と通信が可能な位置に移動局が存在する際に、移動局が接続する基地局を選択するための技術が既にある(例えば特許文献１参照)。
【０００６】
この技術では、移動局は、基地局までの伝搬損失の最も少ない基地局と接続することで、送信電力を抑制することができる。この結果、エリア境界は、隣接する基地局からのパイロット信号受信電力の等しい位置となる。距離減衰のみを考えた場合、エリア境界は両基地局の中間点となる。
【０００７】
移動局が、その移動や外部環境の変化に応じて接続先の基地局を切り替えることをハンドオフという。一般的には、隣接する基地局からのパイロット信号の電力の比較により、切り替えを行う。
【０００８】
一方、ＣＤＭＡ方式では、ソフトハンドオフ技術が一般的に採用されている。
ソフトハンドオフ領域にある移動局は、ソフトハンドオフの対象となり、複数の基地局と同時に接続することができる。あるいはソフトハンドオフ対象の複数の基地局と制御信号をやりとりすることで、仮想的に接続を行い、瞬時に接続先基地局を切り替えることができる。
【特許文献１】特開２０００−２６９８８１号公報
【０００９】
ところで、最近では、ＣＤＭＡ方式等の広域無線基地局の広域無線エリア内に、例えば無線ＬＡＮ等の同一周波数帯域を使用する複数の狭域無線基地局を配置して比較的狭域の無線エリア（以下狭域無線エリアと称す）を形成することで、移動局が移動した無線エリアに応じた無線通信を行えるようにすることが考えられている。
【発明の開示】
【発明が解決しようとする課題】
【００１０】
このように広域無線エリア内に同一周波数帯域で少なくとも一つの狭域無線エリアを形成する場合、広域無線エリア内に入ったばかりの移動局からは、広域無線基地局に対して上り回線で強い送信電力のパイロット信号が送信されることから、同一周波数帯域を使用して狭域無線エリアで通信を行っている他の移動局が干渉を受ける恐れがある。
【００１１】
本発明はこのような課題を解決するためになされたもので、広域無線エリア内に同一周波数帯域の狭域無線エリアを形成して移動局が基地局と無線通信を行う上で、干渉を防止しつつ移動局の電力消費を低減することのできる無線通信システム、広域無線基地局装置、狭域無線基地局装置を提供することを目的としている。
【課題を解決するための手段】
【００１２】
上記に示した課題を解決するために、本発明の無線通信システムは、広域無線基地局装置がカバーする広域無線エリア内に、少なくとも一つの狭域無線基地局装置がそれぞれカバーする複数の狭域無線エリアを形成し、前記狭域無線基地局装置と前記広域無線基地局装置は有線回線または無線回線を介して接続され、移動局と基地局装置間における上り方向と下り方向の通信のうち少なくとも上り方向の通信には前記広域無線基地局装置と前記狭域無線基地局装置とでほぼ同じ周波数帯域を使用する無線通信システムにおいて、前記広域無線基地局装置は、自身の広域無線エリア内で自局と接続している少なくとも一つの移動局が使用しているそれぞれの拡散符号および前記移動局の時間同期情報を、前記有線回線または無線回線を通じて前記狭域無線基地局装置へ送信する手段と、それぞれの移動局の受信品質を測定し、規定された受信品質を満足するようにそれぞれの移動局の送信電力を増減させるための第１の送信電力制御命令を生成し、生成した第１の送信電力制御命令を移動局へ送信する第１の送信制御命令生成手段と、前記狭域無線基地局装置よりハンドオフ手順開始要求を受信した場合に、自局に接続している該当移動局へ送信する送信電力制御命令を、前記第１の送信電力制御命令から前記狭域無線基地局装置より受信された前記第２の送信電力制御命令に変更し、前記移動局の送信電力を制御する手段とを備え、前記狭域無線基地局装置は、前記広域無線基地局装置から前記有線回線または無線回線を通じて送信された前記拡散符号及び時間同期情報を受信する手段と、受信した前記拡散符号及び時間同期情報を用いて、前記移動局からの信号の電力を測定する電力測定手段と、前記移動局の受信品質を測定し、予め規定された受信品質を満足するように前記移動局からの送信電力を増減させるための第２の送信電力制御命令を生成する第２の送信制御命令生成手段と、前記電力測定手段により求められた前記移動局からの信号の電力が予め設定された閾値を越えた場合、前記広域無線基地局装置に対して前記移動局のハンドオフ手順開始を要求すると共に、前記第２の送信制御命令生成手段により生成された該当移動局に対する前記第２の送信制御命令を前記広域無線基地局装置へ通知する通信切り替え手段とを具備したことを特徴とする。
【００１３】
本発明の広域無線基地局装置は、自局がカバーする広域無線エリア内に、少なくとも一つの狭域無線基地局装置がカバーする狭域無線エリアを形成し、前記狭域無線基地局装置と有線回線または無線回線を介して接続され、移動局と基地局装置間における上り方向と下り方向の通信のうち少なくとも上り方向の通信には前記狭域無線基地局装置とほぼ同じ周波数帯域を使用する広域無線基地局装置において、自身の広域無線エリア内で自局と接続している少なくとも一つの移動局が使用しているそれぞれの拡散符号および前記移動局の時間同期情報を、前記有線回線または無線回線を通じて前記狭域無線基地局装置へ送信する手段と、それぞれの移動局の受信品質を測定し、規定された受信品質を満足するようにそれぞれの移動局の送信電力を増減させるための第１の送信電力制御命令を生成し、生成した第１の送信電力制御命令を移動局へ送信する第１の送信制御命令生成手段と、前記狭域無線基地局装置よりハンドオフ手順開始要求を受信した場合に、自局に接続している該当移動局へ送信する送信電力制御命令を、前記第１の送信電力制御命令から前記狭域無線基地局装置より受信された前記第２の送信電力制御命令に変更し、前記移動局の送信電力を制御する手段とを具備したことを特徴とする。
【００１４】
本発明の狭域無線基地局装置は、広域無線基地局装置がカバーする広域無線エリア内に狭域無線エリアを形成し、前記広域無線基地局装置と有線回線または無線回線を介して接続され、移動局と基地局装置間における上り方向と下り方向の通信のうち少なくとも上り方向の通信には前記広域無線基地局装置とほぼ同じ周波数帯域を使用する狭域無線基地局装置において、前記広域無線基地局装置から前記有線回線または無線回線を通じて送信された前記拡散符号及び時間同期情報を受信する手段と、受信した前記拡散符号及び時間同期情報を用いて、前記移動局からの信号の電力を測定する電力測定手段と、前記移動局の受信品質を測定し、予め規定された受信品質を満足するように前記移動局からの送信電力を増減させるための第２の送信電力制御命令を生成する第２の送信制御命令生成手段と、前記電力測定手段により求められた前記移動局からの信号の電力が予め設定された閾値を越えた場合、前記広域無線基地局装置に対して前記移動局のハンドオフ手順開始を要求すると共に、前記第２の送信制御命令生成手段により生成された該当移動局に対する前記第２の送信制御命令を前記広域無線基地局装置へ通知する通信切り替え手段とを具備したことを特徴とする。
【００１５】
この発明では、広域無線基地局装置が形成する広域無線エリア内に、広域無線基地局装置と同一あるいはほぼ同じ周波数帯域を使用して少なくとも一つの狭域無線基地局装置が狭域無線エリアを形成し、各エリア内に移動してきた移動局と基地局装置が無線通信を行う。
広域無線基地局装置と通信を行っている移動局が、狭域無線エリアの境界付近に移動した場合、移動局の上り信号が、狭域無線基地局装置と通信を行っている移動局の上り信号よりも大きな電力で送信しているため、狭域無線基地局装置にとって、広域無線基地局装置と通信を行っている移動局の上り信号が干渉になる。
【００１６】
そこで、この発明では、移動局が広域無線基地局装置と通信をしながら狭域無線エリアに近づくか、あるいは進入したときに、狭域無線基地局装置は、広域無線基地局装置から干渉となる移動局が使用している拡散符号を取得して、自局に属する他の移動局に干渉を与える上記移動局の上り信号電力を、広域無線基地局装置を介して制御を行い上記移動局の送信電力を減少させ、上記移動局の上り方向の通信（上り回線）を自局（狭域無線基地局装置）へハンドオフさせる。
これにより、移動局の上り信号を受信し、狭域無線基地局装置の狭帯域無線エリア内にある移動局との通信に対して干渉を低減することができる。また移動局は送信電力を抑えることができ、移動局の消費電力を低減することができる。
【発明の効果】
【００１７】
以上説明したように本発明によれば、広域無線エリア内に同一周波数帯域の狭域無線エリアを形成して移動局が基地局装置と無線通信を行う上で、干渉を防止しつつ移動局の電力消費を低減することができる。
【発明を実施するための最良の形態】
【００１８】
以下、図面を参照しながら本実施の形態について詳細に説明する。
まず、本発明に係る無線通信システムの第１の実施形態のＣＤＭＡ移動通信システムについて説明する。図１はこのＣＤＭＡ移動通信システムの概要を示す構成図、図２は図１のＣＤＭＡ移動通信システムの狭域無線基地局の第１実施形態を示す構成図、図３は図１のＣＤＭＡ移動通信システムの広域無線基地局の第１実施形態を示す構成図である。
【００１９】
図１に示すように、このＣＤＭＡ移動通信システムは、移動局１４１〜１４３とＣＤＭＡ通信が可能な広域無線エリア１２１を形成する広域無線基地局装置としての広域無線基地局１１１と、広域無線エリア１２１内に狭域無線エリア１２２,１２３を形成する少なくとも一つの狭域無線基地局装置としての狭域無線基地局１１２,１１３とを配置すると共に、これら基地局と通信回線１３３を介して接続された交換局１５１とから構成されている。
【００２０】
このＣＤＭＡ移動通信システムは、広域無線基地局１１１がカバーする広域無線エリア１２１内に、少なくとも一つの狭域無線基地局１１２，１１３がそれぞれカバーする狭域無線エリア１２２，１２３を形成し、狭域無線基地局１１２，１１３と広域無線基地局１１１は通信回線１３１，１３２（または無線回線）を介して接続され、移動局１４１〜１４３と基地局間における上り方向と下り方向の通信のうち少なくとも上り方向の通信には広域無線基地局１１１と狭域無線基地局１１２，１１３とで同一あるいはほぼ同じ周波数帯域を使用する無線通信システムである。
【００２１】
交換局１５１は、この通信システムと他の通信システム（一般の電話機及び他のシステムの移動局）との回線交換を行う。
【００２２】
この例の場合、広域無線エリア１２１内に存在する移動局１４１〜１４３のうち、初め、移動局１４１と移動局１４３は、上り方向及び下り方向共に広域無線基地局１１１に接続してＣＤＭＡ通信を行っており、移動局１４１が、狭域無線基地局１１２が形成する狭域無線エリア１２２の方向へ移動して行ったものとする。また、移動局１４２は、狭域無線基地局１１２が形成する狭域無線エリア１２２内に存在し、狭域無線基地局１１２と無線ＬＡＮ通信を行っているものとする。
【００２３】
移動局１４１〜１４３は、ＣＤＭＡ通信機能と無線ＬＡＮ機能とを備える端末であり、具体的なハードウェアとしては、例えば携帯電話機、ＰＤＡ等により実現される。移動局１４１〜１４３は、基地局から受信された送信電力制御命令に従って、無線通信を行う電波の送信電力を増減する機能を有している。
【００２４】
移動局１４１は、広域無線エリア１２１内でＣＤＭＡ通信を行いながら移動し、その内側に形成されている狭帯域無線エリア１２２内に移動した場合、広域無線基地局１１１とのＣＤＭＡ通信に加えて、該当狭域無線基地局１１２との無線ＬＡＮによる無線通信が共に可能となる。
【００２５】
移動局１４１が狭域無線エリア１２２近傍に移動した場合、移動局１４１は、広域無線基地局１１１までの距離が遠いため、比較的で高出力で電波を送信するよう広域無線基地局１１１から送信電力の制御を受けている。この時、狭域無線基地局１１２へハンドオフをすればよいが、移動局１４１から発信される上り信号（電波）は高出力なため、従来では狭域無線基地局１１２からの電力制御命令が移動局１４１へ伝えることができる狭域無線エリア１２２外から狭域無線基地局１１２と移動局１４２との無線ＬＡＮ通信に干渉を与えてしまう。
【００２６】
広域無線基地局１１１は、例えば２ＧＨｚ帯などの周波数帯を使用するＣＤＭＡ無線システムの基地局である。広域無線基地局１１１は、自身の広域無線エリア１２１内に配置された狭域無線基地局１１２，１１３と通信回線１３１，１３２等の有線回線を介して接続されている。なお、この他、基地局間は無線回線を介して接続しても良い。
【００２７】
広域無線基地局１１１は、現在自局（広域無線基地局１１１）が通信を行っている移動局、例えば移動局１４１、１４３などの拡散符号と時間同期情報を、移動局１４１、１４３の通信開始時あるいは周期的に通信回線１３１，１３２を通じて狭域無線基地局１１２，１１３へ送信する。
【００２８】
時間同期情報は、各移動局１４１，１４３の上り信号を逆拡散する際の受信タイミングをとるための情報であるが、実際に基地局間で受け渡しを行う情報は、基地局の構成によって異なる。
【００２９】
例えば広域無線基地局１１１と狭域無線基地局１１２，１１３との同期（具体的にはフレームタイミング）が、ある程度の誤差以内に保たれている場合には、移動局１４１，１４３の上り信号の受信タイミングそのものでよい。また基地局間が非同期の場合には、受信タイミングに加えて、各基地局間のフレームタイミングの誤差情報が必要となり、時間と同期の２つの情報を送る必要がある。
【００３０】
狭域無線基地局１１２，１１３は、広域無線エリア１２１を形成する広域無線基地局１１１と同一の周波数帯域を使用する無線ＬＡＮシステムなどのアクセスポイントであり、移動局１４１〜１４３から狭域無線基地局１１２，１１３への上り回線による通信には、広域無線基地局１１１と同一の周波数帯域である２ＧＨｚ帯を使用して無線通信を行う。
【００３１】
図２に示すように、狭域無線基地局１１２，１１３は、切り替え判定部２０６、逆拡散部２０７、送信電力制御部（隣接エリア）２０８、拡散符号及び時間同期情報記憶部２０９、拡散部２１０、送信電力制御部（自エリア）２１１を備えている。
【００３２】
逆拡散部２０７は、移動局からの受信信号の逆拡散を行う。送信電力制御部２０８は、隣接無線エリアに属する移動局それぞれの送信電力制御命令を生成し、生成した送信電力制御命令を隣接無線エリアを形成する基地局、この例の場合、広域無線基地局１１１へ送信する。
【００３３】
拡散符号及び時間同期情報記憶部２０９には、自エリア（この狭域無線基地局が形成する狭域無線エリア）に属する移動局が用いる拡散符号と時間同期情報が記憶される。拡散部２１０は、各移動局の変調信号の拡散を行うことで各移動局へ送信する信号を生成する。つまり、拡散部２１０は、基地局から移動局への信号の拡散を行う。
【００３４】
送信電力制御部２１１は、自エリアに属する移動局、この例の場合、移動局１４２だけの送信電力制御命令を生成し、生成した送信電力制御命令を通信回線１３１，１３２を通じて広域無線基地局１１１へ送信する。なお自エリアに複数の移動局が存在するときはそれぞれの移動局の送信電力制御命令を生成し送信する。
【００３５】
切り替え判定部２０６は、スイッチ２００、記憶部２０１、拡散符号及び時間同期情報受信部２０２、逆拡散部２０３、相関値判定部２０４等を有しており、自局に属する移動局が行う通信に干渉を与える他の基地局（広域無線基地局１１１）に属する移動局が、自エリア内に移動してきた場合、その移動局が広域無線基地局１１１と行っている上り方向の通信（上り回線）を、自局との通信に切り替えるようにバンドオフさせるための判定を行う。
【００３６】
スイッチ２００は、干渉信号判定部２０５から制御を受けて、記憶部２０１に記憶されている拡散符号及び時間同期情報を選択して逆拡散部２０７へ出力する。
拡散符号及び時間同期情報受信部２０２は、広域無線エリアに属する移動局１４１，１４３の拡散符号及び時間同期情報を受信し記憶部２０１に記憶する。拡散符号及び時間同期情報受信部２０２は、広域無線基地局１１１から通信回線１３１，１３２（または無線回線）を通じて送信された移動局１４１，１４３の拡散符号及び時間同期情報を受信する手段として機能する。
【００３７】
逆拡散部２０３は、受信された信号を、記憶部２０１に記憶された拡散符号及び時間同期情報を用いて逆拡散を行い、各拡散符号との相関値を出力する。逆拡散部２０３は、記憶部２０１に記憶された拡散符号及び時間同期情報を用いて、移動局１４１，１４３からの受信信号の電力を測定する電力測定手段として機能する。
【００３８】
相関値判定部２０４は、逆拡散部２０３によって求められた相関値と予め設定された閾値とを比較して相関値が閾値よりも大きい値か否かを判定する。電力測定手段により求められた前記移動局からの信号の電力の値である相関値が、予め設定された閾値を越えた場合、相関値判定部２０４は、干渉信号判定部２０５へその旨の信号（判定結果）を出力する。
【００３９】
干渉信号判定部２０５は、相関値判定部２０４による判定結果から、電波の干渉を自エリアに与えている隣接エリアに属する移動局を特定（判定）する。つまり、干渉信号判定部２０５は、相関値判定部２０４による判定結果として例えば移動局１４１からの信号の電力が予め設定された閾値を越えた場合、広域無線基地局１１１に対して移動局１４１のハンドオフ手順開始を要求するよう送信電力制御部２０８へ通知する。
逆拡散部２０７は、受信信号を逆拡散し各移動局１４１〜１４３の変調信号を生成する。
【００４０】
送信電力制御部２０８は、干渉信号判定部２０５の判定結果から移動局１４１，１４３の送信電力制御を行う。この例の場合、送信電力制御部２０８は、干渉信号判定部２０５からの通知で、移動局１４１の上り回線の通信を広域無線基地局１１１から自局（狭域無線基地局１１２）へハンドオフさせるための移動局１４１のハンドオフ手順開始要求を広域無線基地局１１１へ送り、またこれと同時に移動局１４１の送信電力制御命令を広域無線基地局１１１へ送る第２の送信電力制御命令生成手段として機能する。
【００４１】
すなわち、切り替え判定部２０６は、電力測定の結果、求めた移動局１４１からの信号の電力が予め設定された閾値を越えた場合、広域無線基地局１１１に対して移動局１４１のハンドオフ手順開始を要求するための判定を行い、送信電力制御部２０８に対して該当移動局１４１に対する第２の送信制御命令を広域無線基地局１１１へ通知させる通信切り替え手段として機能する。
【００４２】
図３に示すように、広域無線基地局１１１は、逆拡散部３０１、拡散符号及び時間同期情報送信部３０２、記憶部３０３、拡散部３０４、スイッチ３０５及び送信電力制御部３０６を備えている。
【００４３】
逆拡散部３０１は、受信信号を逆拡散することにより各移動局の変調信号を生成する。記憶部３０３には、自局（この広域無線基地局）に接続している移動局の拡散符号及び時間同期情報が記憶される。
拡散符号及び時間同期情報送信部３０２は、記憶部３０３に記憶された、自局（この広域無線基地局）に接続している移動局の拡散符号及び時間同期情報を送信する。
【００４４】
すなわち、この拡散符号及び時間同期情報送信部３０２は、広域無線エリア１２１内で自局と接続している少なくとも一つの移動局１４１、１４３が使用しているそれぞれの拡散符号および移動局１４１、１４３の時間同期情報を、通信回線１３１，１３２を通じて狭域無線基地局１１２，１１３へ送信する手段として機能する。
【００４５】
拡散部３０４は、拡散符号及び時間同期情報を用いて各移動局の変調信号を逆拡散し送信信号を生成しそれぞれの移動局へ送信する。
【００４６】
スイッチ３０５には、広域無線基地局１１１に接続している少なくとも一つの移動局１４１〜１４３の変調信号が入力される。スイッチ３０５は、特定の移動局に対する上り回線のハンドオフ要求（ハンドオフ手順開始要求等）が入力された場合、自身に入力されている移動局の変調信号の中からハンドオフ対象の移動局の変調信号を選択して送信電力制御部３０６へ出力する。
【００４７】
送信電力制御部３０６は、自エリアに属する移動局１４１，１４３へ送信電力制御命令（第１送信電力制御命令）を生成し、生成した送信電力制御命令を移動局１４１，１４３へ送信することで、移動局１４１，１４３の送信電力制御を行う。自エリアに属する移動局とは、自局に接続中の移動局という意味である。
【００４８】
送信電力制御部３０６には、自局と通信回線１３１を介して接続されている狭域無線機基地局１１２からの送信電力制御命令（第２送信電力制御命令）が入力される。送信電力制御部３０６は、スイッチ３０５よりハンドオフ対象の移動局の変調信号が入力された場合、狭域無線機基地局１１２からハンドオフ手順開始要求を受信したものと判定し、自身が生成した送信電力制御命令を狭域無線機局１４１〜１４３から受信した送信電力制御命令に切り替えて該当移動局へ送信する。
【００４９】
すなわち、送信電力制御部３０６は、スイッチ３０５から入力された変調信号を基に、自局に接続されている移動局１４１，１４３の受信品質を測定し、予め規定された受信品質を満足するようにそれぞれの移動局１４１，１４３の送信電力を増減させるための第１の送信電力制御命令を生成し、生成した第１の送信電力制御命令を移動局１４１，１４３へ送信する第１の送信制御命令生成手段として機能する。
【００５０】
広域無線基地局１１１は、各移動局１４１〜１４３への送信信号とは別の制御チャネルを用いて、各移動局１４１〜１４３の受信信号の電力に応じた送信電力制御を行う。なお、別チャネルを使わずに、送信信号の拡散前に送信電力制御命令を多重化して伝送する方式も考えられる。
【００５１】
制御命令のフィードバック情報は、狭域無線基地局１１２，１１３のハンドオフ要求に応じて、スイッチ３０５で切り替える構成をとっている。
【００５２】
従来の広域無線基地局とは異なるのは、自局に接続する移動局１４１の拡散符号及び時間同期情報を、隣接する狭域無線基地局１１２及び無線基地局１１３へ送る拡散符号及び時間同期情報送信部３０２を有している点である。
【００５３】
以下、図２、図３及び図４を用いてこの第１実施形態の無線通信システムの動作を説明する。
新たな移動局、例えば移動局１４１などが、広域無線基地局１１１へ発呼することで、広域無線基地局１１１と移動局１４１間において上り回線及び下り回線でのＣＤＭＡ通信が行われる。このときの移動局１４１の送信電力制御は、広域無線基地局１１１が行う。
【００５４】
広域無線基地局１１１は、新たな移動局１４１などが自局に接続してきたとき、あるいは定期的に、広域無線エリア１２１に属している移動局１４１〜１４３の拡散符号及び時間同期情報を通信回線１３１，１３２を通じて各狭域無線基地局１１２，１１３へ送信する（Ｓ１０１）。
【００５５】
例えば狭域無線基地局１１２では、移動局１４１、１４３の拡散符号及び時間同期情報を通信回線１３１から拡散符号及び時間同期情報受信部２０２が受信し、これを記憶部２０１に記憶する。
【００５６】
逆拡散部２０３は、記憶部２０１に記憶された移動局１４１、１４３の拡散符号及び時間同期情報を用いて受信信号の逆拡散処理を行い、各拡散符号との相関値を相関値判定部２０４へ送出する。
【００５７】
次に、相関値判定部２０４は、逆拡散部２０３で得られた受信信号の相関値の瞬時値またはある期間の平均値を求め、自身に予め設定されていた閾値と比較する。
この比較の結果、閾値よりも高い相関電力が得られた拡散符号が存在する場合、相関値判定部２０４は、広域無線エリア１２１の移動局１４１から干渉を受けているものと判定し（Ｓ１０２）、その旨を干渉信号判定部２０５を通じて送信電力制御部２０８へ通知する。
【００５８】
送信電力制御部２０８は、干渉信号判定部２０５からの通知に従って広域無線基地局１１１に対してハンドオフ手順開始要求を送信し、その拡散符号を使用している移動局１４１の上り回線のハンドオフ手順開始を通信回線１３１を通じて要求する（Ｓ１０３）。
【００５９】
広域無線基地局１１１では、狭域無線基地局１１２からの要求をスイッチ３０５で受信すると、送信電力制御部３０６は、上記移動局１４１が他の広域無線基地局とのソフトハンドオフ中であるか否かを確認し、他の広域無線基地局とソフトハンドオフ中でない場合に、狭域無線基地局１１２に対して許可を与える返信を送る（Ｓ１０４）。
【００６０】
狭域無線基地局１１２では、ハンドオフの許可を与える返信を受信すると（許可？のＹｅｓ）、逆拡散部２０３、２０７は、移動局１４１が送信する上り信号の受信処理を開始すると共に、送信電力制御部２０８は、移動局１４１への送信電力制御命令を生成し、生成した送信電力制御命令を隣接無線エリアの基地局である広域無線基地局１１１に対して通信回線１３１を通じて送信する（Ｓ１０５）。
【００６１】
広域無線基地局１１１では、送信電力制御部３０６は、狭域無線基地局１１２に許可を与えた後、狭域無線基地局１１２から送られてきた送信電力制御命令を、自らが生成していた送信電力制御命令の代わりに該当移動局１４１へ送信し通知する。
【００６２】
つまり、狭域無線基地局１１２は、電波の強い移動局１４１に対して、広域無線基地局１１１を経由して移動局１４１の送信電力を制御するソフトハンドオフモードでの制御を行う。移動局１４１は、狭域無線基地局１１２からのソフトハンドオフモードの制御を受けて、送信電力を順次低減させてゆき（Ｓ１０６）、狭域無線基地局１１２が移動局１４１の電波を受信するのに十分な電力になったときにき（Ｓ１０７）、上り回線のハンドオフを完了する。
これにより、移動局１４１の上り回線は、狭域無線基地局１１２に接続し、移動局１４１の下り回線は、広域無線基地局１１１に接続し、通信が行われるようになる。
【００６３】
ここで、図１を参照してソフトハンドオフに伴う移動局１１２とネットワーク間の情報の流れについて説明する。
ソフトハンドオフ前には、広域無線エリア１２１に属している移動局１４１からネットワーク側への上り回線では、情報は、広域無線基地局１１１から交換局１５１へと情報が流れ、ネットワーク側から移動局１４１への下り回線では、交換局１５１から広域無線基地局１１１へと情報が流れる。
【００６４】
続いて、移動局１４１の上り回線が狭域基地局１１２によってソフトハンドオフされると、下り回線については先と同じく交換局１５１から広域無線基地局１１１へと流れるが、上り回線は、狭域無線基地局１１２から交換局１５１へと流れる。なお、この他、上り回線は、狭域無線基地局１１２から広域無線基地局１１１を経由して交換局１５１へと情報を流すようにもできる。
【００６５】
このようにこの第１実施形態によれば、広域無線エリア１２１に属する移動局１４１の送信電力制御を、狭域無線基地局１１２と広域無線基地局１１１間の通信回線１３１を通じた通信によって行い、狭域無線基地局１１２へ上り回線のみをハンドオフすることにより、広域無線基地局１１１と通信している移動局１４１による狭域無線エリア１２２への干渉を防ぐことができ、さらに移動局１４１の送信電力を低減できるので、移動局１４１の消費電力を低減することができる。
【００６６】
また、広域無線基地局１１１は、周期的または移動局１４１と通信を開始するときに、拡散符号及び時間同期情報を、自局に通信回線１３１を介して接続された狭域無線基地局１１２へ送信する手段を備えたことで、移動局１４１の拡散符号及び時間同期情報を周期的に送信する場合には、狭域無線基地局１１２に干渉を与える移動局１４１の拡散符号及び時間同期情報を常に更新することができる。また、移動局１４１の拡散符号及び時間同期情報を通信開始時に周辺の狭域無線基地局１１２，１１３へ送信する場合には、拡散符号などを通信中にやり取りせずに済み、基地局間の通信量を削減できる。
【００６７】
次に、本発明の第２の実施形態について説明する。
この第２の実施形態は、図１に示した広域無線エリア１２１内に複数の狭域無線基地局１１２，１１３が存在する無線エリアの構成であって、各無線エリアの移動局１４１から基地局（広域無線基地局１１１から狭域無線基地局１１２，１１３）への上り及び下りの回線のうち、少なくとも上り回線には、ほぼ同じ周波数帯域を使用する。
複数の狭域無線基地局１１２，１１３は、それぞれの狭域無線エリア１２２，１２３を内包する広域無線エリア１２１を形成する広域無線基地局１１１と通信回線１３１，１３２を介して接続されている。つまり、この第２の実施形態は、おおよその機器配置や通信の仕方について図１に示したＣＤＭＡ移動通信システムと同じ構成である。
【００６８】
図５に第２実施形態の狭域無線基地局の構成図を示す。
この第２実施形態の狭域無線基地局１１２（１１３）は、図５に示すように、自局に電波が届く移動局１４１，１４２の送信電力を測定し、測定結果に応じて広域無線基地局１１１に対して送信電力制御命令の切り替えを要求するための判定を行う切り替え判定部６０８と、この切り替え判定部６０８による判定結果に基づいて隣接無線エリアに属する移動局１４１の送信電力制御を行う送信電力制御部６１０と、自エリアに属する移動局１４２の拡散符号及び時間同期情報を記憶する記憶部６１１と、各移動局１４１，１４２の変調信号を拡散することで送信信号を生成する拡散部６１２と、自エリアに属する移動局１４２の送信電力制御を行う送信電力制御部６１３とを備えている。
【００６９】
切り替え判定部６０８は、広域無線基地局１１１より通信回線１３１（１３２）を通じて通知される拡散符号及び時間同期情報を受信する拡散符号及び時間同期情報受信部６０２と、受信された拡散符号及び時間同期情報を記憶する記憶部６０１と、記憶部６０１に記憶された拡散符号及び時間同期情報を用いて逆拡散を行い各拡散符号との相関値を得る逆拡散部６０４と、この逆拡散部６０４によって得られた相関値と予め設定されている第２の閾値とを比較して相関値が第２の閾値よりも大きい値か否かを判定する相関値判定部６０５と、この相関値判定部６０５の判定結果から干渉を自エリアに与えている隣接エリアに属する移動局１４１を特定（判定）する干渉信号判定部６０６と、逆拡散部６０９により得られる逆拡散後の移動局それぞれの受信信号より、信号の電力と自局のセル外からの干渉電力との比（以下信号電力対干渉電力比と称す）を測定する信号電力対干渉電力比測定部６０７と、この信号電力対干渉電力比測定部６０７により測定された信号電力対干渉電力比と予め設定されていた第１の閾値とを比較し、信号電力対干渉電力比が第１の閾値よりも小さかった場合に、拡散符号と時間同期情報を広域無線基地局１１１に要求する判定を行う信号電力対干渉電力比判定部６０３とを有している。
【００７０】
つまり、この第２実施形態は、上記第１実施形態の狭域無線基地局１１２（１１３）に、信号電力対干渉電力比測定部６０７と信号電力対干渉電力比判定部６０３とを追加したものであり、それ以外の構成は上記第１実施形態の各部とほぼ同様に機能する。
【００７１】
図６に示すように、第２実施形態の広域無線基地局１１１は、逆拡散部７０１、拡散符号及び時間同期情報送信部７０２、記憶部７０３、拡散部７０４、スイッチ７０５及び送信電力制御部７０６を備えている。
【００７２】
逆拡散部７０１は、受信信号を逆拡散することにより各移動局の変調信号を生成する。記憶部７０３には、自局（この広域無線基地局）に接続している移動局１４１，１４３の拡散符号及び時間同期情報が記憶される。
拡散符号及び時間同期情報送信部７０２は、狭域無線基地局１１２，１１３からの要求が受信された場合に、記憶部７０３に記憶された、自局（この広域無線基地局）に接続している移動局１４１，１４３の拡散符号及び時間同期情報を送信する。
【００７３】
すなわち、この拡散符号及び時間同期情報送信部７０２は、狭域無線基地局１１２，１１３からの要求に対して広域無線エリア１２１内で自局と接続している少なくとも一つの移動局１４１、１４３が使用しているそれぞれの拡散符号および移動局１４１、１４３の時間同期情報を、通信回線１３１，１３２を通じて狭域無線基地局１１２，１１３へ送信する手段として機能する。
【００７４】
拡散部７０４は、拡散符号及び時間同期情報を用いて各移動局の変調信号を逆拡散し送信信号を生成しそれぞれの移動局へ送信する。
【００７５】
スイッチ７０５には、広域無線基地局１１１に接続している少なくとも一つの移動局１４１〜１４３の変調信号が入力される。スイッチ７０５は、特定の移動局に対する上り回線のハンドオフ要求（ハンドオフ手順開始要求等）が入力された場合、自身に入力されている移動局の変調信号の中からハンドオフ対象の移動局の変調信号を選択して送信電力制御部７０６へ出力する。
【００７６】
送信電力制御部７０６は、自エリアに属する移動局１４１，１４３へ送信電力制御命令（第１送信電力制御命令）を生成し、生成した送信電力制御命令を移動局１４１，１４３へ送信することで、移動局１４１，１４３の送信電力制御を行う。自エリアに属する移動局とは、自局に接続中の移動局という意味である。
【００７７】
送信電力制御部７０６には、自局と通信回線１３１を介して接続されている狭域無線機基地局１１２からの送信電力制御命令（第２送信電力制御命令）が入力される。送信電力制御部７０６は、スイッチ７０５よりハンドオフ対象の移動局の変調信号が入力された場合、狭域無線機基地局１１２からハンドオフ手順開始要求を受信したものと判定し、自身が生成した送信電力制御命令を狭域無線機局１４１〜１４３から受信した送信電力制御命令に切り替えて該当移動局へ送信する。
【００７８】
すなわち、送信電力制御部７０６は、スイッチ７０５から入力された変調信号を基に、自局に接続されている移動局１４１，１４３の受信品質を測定し、予め規定された受信品質を満足するようにそれぞれの移動局１４１，１４３の送信電力を増減させるための第１の送信電力制御命令を生成し、生成した第１の送信電力制御命令を移動局１４１，１４３へ送信する第１の送信制御命令生成手段として機能する。
【００７９】
第２実施形態の広域無線基地局１１１は、各移動局１４１〜１４３への送信信号とは別の制御チャネルを用いて、各移動局１４１〜１４３の受信信号電力に応じた送信電力制御を行う。なお別チャネルを使わずに、送信信号の拡散前に送信電力制御命令を多重化して伝送してもよい。
この広域無線基地局１１１は、狭域無線基地局１１２，１１３から受信されたハンドオフ手順開始要求に応じて、制御命令のフィードバック情報をスイッチ７０５で切り替える構成をとっている。
【００８０】
広域無線基地局１１１は、接続された狭域無線基地局１１２，１１３からのハンドオフ手順開始要求があった際に、自局に接続する移動局１４１の拡散符号及び時間同期情報を隣接する無線基地局へ送信する拡散符号及び時間同期情報送信部７０２を備えている。
【００８１】
以下、図５乃至図８を参照してこの第２実施形態の狭域無線基地局１１２及び広域無線基地局１１１と移動局１４１〜１４３の通信動作を説明する。
【００８２】
狭域無線基地局１１２は、まず、従来通り逆拡散部６０９で自局に接続されている移動局１４２の拡散符号セットを用いて受信信号の逆拡散処理を行い、移動局１４２の変調信号を生成し出力する。逆拡散部６０９から出力された移動局１４２の変調信号より、信号電力対干渉電力比測定部６０７で信号電力対干渉電力比を求める。信号電力対干渉電力比測定部６０７では、受信された変調信号に含まれる既知信号の、図８で表されるような位相平面上のシンボル点と実際の受信信号のシンボル点とのばらつき具合によって、移動局１４２の信号電力対干渉電力比を測定し、予め設定されている第１の閾値との比較を行う。
上記の各信号電力対干渉電力比が一つでも第１の閾値を下回った場合、つまり信号電力対干渉電力比が第１の閾値よりも小さかった場合、自エリア外、つまり広域無線エリア１２１に存在する移動局１４１から干渉が加わっているものと判定し（Ｓ２０１）、通信回線１３１を介して接続された広域無線基地局１１１へ移動局１４１の拡散符号及び時間同期情報を要求する（Ｓ２０２）。
【００８３】
狭域無線基地局１１２からの要求に対して広域無線基地局１１１は、該当移動局１４１の拡散符号及び時間同期情報を返信する（Ｓ２０３）。
【００８４】
狭域無線基地局１１２では、広域無線基地局１１１から返信されてきた該当移動局１４１の拡散符号及び時間同期情報を拡散符号及び時間同期情報受信部６０２が受信すると、それを記憶部６０１に記憶する。
【００８５】
逆拡散部６０４は、記憶部６０１に記憶された拡散符号及び時間同期情報を用いて受信信号の逆拡散処理を行い、各拡散符号との相関値を求め、相関値判定部６０５へ出力する。
【００８６】
相関値判定部６０５は、逆拡散部６０４より入力された受信信号の相関値の瞬時値またはある期間の平均値を求め、予め設定された第２の閾値と比較する。
この比較の結果、第２の閾値よりも高い相関電力が得られた拡散符号が存在する場合、相関値判定部６０５は、その旨を干渉信号判定部６０６へ通知する。
干渉信号判定部６０６は、相関値判定部６０５からの通知を受けて、広域無線エリア１２１の移動局１４１から干渉を受けているものと判定し（Ｓ２０４）、広域無線基地局１１１に対して、拡散符号を使用している移動局１４１の上り回線のハンドオフ手順開始を要求するよう送信電力制御部６１０へ通知する。
【００８７】
送信電力制御部６１０は、干渉信号判定部２０５からの通知に従って広域無線基地局１１１に対してハンドオフ手順開始要求を送信し（Ｓ２０５）、その拡散符号を使用している移動局１４１の上り回線のハンドオフ手順開始を通信回線１３１を通じて要求する。
広域無線基地局１１１では、狭域無線基地局１１２より要求をスイッチ７０５で受信すると、送信電力制御部７０６は、上記移動局１４１が他の広域無線基地局とのソフトハンドオフ中であるか否かを確認し、他の広域無線基地局とソフトハンドオフ中でない場合に、狭域無線基地局１１２に対して許可を与える返信を送る（Ｓ２０６）。
狭域無線基地局１１２では、ハンドオフの許可を与える返信を受信すると（許可？のＹｅｓ）、逆拡散部６０４、６０９は、移動局１４１が送信する上り信号の受信処理を開始すると共に、送信電力制御部６１０は、移動局１４１への送信電力制御命令を生成し、通信回線１３１により接続された広域無線基地局１１１に対して通信回線１３１を通じて送信する（Ｓ２０７）。
【００８８】
広域無線基地局１１１では、送信電力制御部７０６は、狭域無線基地局１１２に許可を与えた後、狭域無線基地局１１２から送られてきた送信電力制御命令を、自らが生成していた送信電力制御命令の代わりに該当移動局１４１へ送信し通知する。
【００８９】
つまり、狭域無線基地局１１２は、電波の強い移動局１４１に対して、広域無線基地局１１１を経由して移動局１４１の送信電力を制御するソフトハンドオフモードでの制御を行う。
【００９０】
移動局１４１は、狭域無線基地局１１２からのソフトハンドオフモードの制御を受けて、送信電力を順次低減させてゆき（Ｓ２０８）、狭域無線基地局１１２が移動局１４１の電波を受信するのに十分な電力（適正な電力）になったときにき（Ｓ２０９）、上り回線のハンドオフを完了する。
【００９１】
これにより、移動局１４１の上り回線は、狭域無線基地局１１２に接続し、移動局１４１の下り回線は、広域無線基地局１１１に接続し、通信が行われるようになる。
【００９２】
なお、ハンドオフに伴う移動局１４１とネットワーク間の情報の流れについては、第１実施形態と同様でありその説明は省略する。
【００９３】
このようにこの第２実施形態によれば、上りの信号電力が十分な場合に、上り回線のみのハンドオフを行うことにより、広域無線基地局と通信している移動局による狭域無線エリアへの干渉を防ぐことができ、さらに移動局１４１の送信電力を低減することができるので、移動局１４１の電力消費を低減することができる。
【００９４】
また、この第２実施形態では、狭域無線基地局１１２に、信号電力対干渉電力比測定部６０７及び信号電力対干渉電力比判定部６０３を設けることで、狭域無線基地局１１２は、自エリア外からの干渉を検知することで、該当移動局１４１の拡散符号及び時間同期情報の要求を広域無線基地局１１１へ送信するので、第１実施形態のように広域無線基地局１１１が移動局１４１の拡散符号を周期的あるいは通信開始時に狭域無線基地局１１２に与える場合に比べ、基地局間通信を少なくすることができる。
【００９５】
なお、本発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。
【図面の簡単な説明】
【００９６】
【図１】本発明に係るＣＤＭＡ移動通信システムの概要構成を示す図である。
【図２】図１のＣＤＭＡ移動通信システムの狭域無線基地局の第１実施形態を示す構成図である。
【図３】図１のＣＤＭＡ移動通信システムの広域無線基地局の第１実施形態を示す構成図である。
【図４】第１実施形態の広域無線基地局と狭域無線基地局による移動局との通信動作を示す通信シーケンス図である。
【図５】図１のＣＤＭＡ移動通信システムの狭域無線基地局の第２実施形態を示す構成図である。
【図６】図１のＣＤＭＡ移動通信システムの広域無線基地局の第２実施形態を示す構成図である。
【図７】第２実施形態の広域無線基地局と狭域無線基地局による移動局との通信動作を示す通信シーケンス図である。
【図８】受信された変調信号に含まれる既知信号の位相平面上のシンボル点と実際の受信信号のシンボル点とのばらつき具合を示す図である。
【符号の説明】
【００９７】
１１１…広域無線基地局、１１２，１１３…狭域無線基地局、１２１…広域無線エリア、１２２，１２３…狭域無線エリア、１２２…狭帯域無線エリア、１３１，１３２，１３３…通信回線、１４１，１４２，１４３…移動局、１５１…交換局、２００…スイッチ、２０１…記憶部、２０２…拡散符号及び時間同期情報受信部、２０３…逆拡散部、２０４…相関値判定部、２０５…干渉信号判定部、２０６…判定部、２０７…逆拡散部、２０８…送信電力制御部、２０９…記憶部、２１０…拡散部、２１１…送信電力制御部、３０１…逆拡散部、３０２…拡散符号及び時間同期情報送信部、３０３…記憶部、３０４…拡散部、３０５…スイッチ、３０６…送信電力制御部、６００…スイッチ、６０１…記憶部、６０２…拡散符号及び時間同期情報受信部、６０３…信号電力対干渉電力比判定部、６０４…逆拡散部、６０５…相関値判定部、６０６…干渉信号判定部、６０７…信号電力対干渉電力比測定部、６０８…切り替え判定部、６０９…逆拡散部、６１０…送信電力制御部、６１１…記憶部、６１２…拡散部、６１３…送信電力制御部、７０２…拡散符号及び時間同期情報送信部、７０５…スイッチ、７０６…送信電力制御部。
【図１】
2006074468.tif 000003
【図２】
2006074468.tif 000004
【図３】
2006074468.tif 000005
【図４】
2006074468.tif 000006
【図５】
2006074468.tif 000007
【図６】
2006074468.tif 000008
【図７】
2006074468.tif 000009
【図８】
2006074468.tif 000010